(57)【要約】【課題】  工場等の作業空間の換気用に設置されている大型換気扇の排気の風圧を利用して発電する換気扇用風力発電装置を提案し、省エネルギー化の促進を図れる換気扇用風力発電システムを提案する。【解決手段】  作業空間１の壁体１ａに取り付けられた換気扇２の吐出側に風車のブレード１２を対向させて配し、排出空気の風圧により回転させてナセル１１の発電機により発電させる。発電電力は風力発電安定器・充電器１３を通してバッテリー１４に充電し、その出力電圧を変圧器１５で昇圧して換気扇２の駆動電力を得る。この駆動電力で他の換気扇２ａを駆動して発電電力を得、変圧器１５を介して得た駆動電力により第ｎの換気扇２ｎを駆動する。複数台の換気扇２で発電して得られた駆動電力を異なる換気扇２ｉの駆動に利用する。【選択図】        図１
2019183750.tif 000002
【特許請求の範囲】
【請求項１】
工場等の作業空間の壁面に設置された換気扇と、
前記換気扇の吐出側に臨ませてブレードが配されて、換気扇の風圧を受けた該ブレードの回転により発電する発電機とからなることを特徴とする換気扇用風力発電装置。
【請求項２】
前記発電機には風力発電安定器・充電器が接続され、
前記風力発電安定器・充電器には前記発電機によって発生した電力を蓄える二次電池が接続されて、該二次電池に充電することを特徴とする請求項１に記載の換気扇用風力発電装置。
【請求項３】
工場等の作業空間の壁面に設置された複数台の換気扇と、
それぞれの換気扇の吐出側に臨ませた風車のブレードと、
前記換気扇の風圧を受けた該ブレードの回転により発電する発電機と、
前記発電機に接続された風力発電安定器・充電器と、
前記風力発電安定器・充電器に接続されて前記発電機によって発生した電力により充電する二次電池と、
前記二次電池の出力電圧を前記換気扇の駆動電圧まで昇圧させる変圧器とからなり、
複数台の換気扇のうちの第１の換気扇の風圧により発電されて前記変圧器により得られた電力により第２の換気扇を駆動し、該第２の換気扇の風圧により発電されて前記変圧器により得られた電力により第３の換気扇を駆動するようにして、前記複数台の換気扇の駆動電力を順次得るようにしたことを特徴とする換気扇用風力発電システム。
【発明の詳細な説明】
【技術分野】
【０００１】
この発明は、工場等で利用される大型換気扇を利用する換気扇用風力発電装置と風力発電システムに関する。
【背景技術】
【０００２】
火気を扱う工場や作業場あるいは空調装置を設置できない作業空間では、熱気が屋内にこもっては良好な作業環境を確保できず、作業員の負担が大きくなってしまうから、工場等の内部の換気を促進する必要がある。この換気のため、工場等の建屋の壁体には複数台の大型換気扇が配設されている。
【０００３】
地球環境の保全対策として省エネルギーを図ることが推進されており、その一方策として再生可能エネルギーの利用の促進が推奨されている。再生可能エネルギーは発電に利用されることを筆頭として、種々の態様で利用されている。工場等においても再生可能エネルギーを積極的に利用することが、工場等の省エネルギーの促進にとって好ましい。
【０００４】
例えば、特許文献１には、風力を利用することで、効果的に換気を行い省エネ効果を高めようとする、風力利用換気及び発電装置が開示されている。
【０００５】
また、特許文献２には、円筒風洞の天板に吐出口を開けて換気扇を取り付け、該風洞の底板に吸入口を開けて、その近接直上に円錐台の形をした横回転体が該天盤から降ろした逆さ円錐台の形をした筒状の芯軸を該風洞外に出して発電器に直結して回転する構造の回転動力取り出し装置であって、該円錐台の斜壁は翼型翼２〜３０枚を等間隔に立てて並べたもので、各翼の前縁は芯軸に正体するよりやや下向きにおじきしており、尚且つ前縁同士より後縁同士の間隔が狭くなるような翼厚を持つ構造の翼で構成される風力による回転動力取り出し装置が開示されている。
【先行技術文献】
【特許文献】
【０００６】
【特許文献１】特開２００９−２７５５１０号公報
【特許文献２】特開２００９−２０３９７４号公報
【発明の概要】
【発明が解決しようとする課題】
【０００７】
特許文献１に開示された風力利用換気及び発電装置は、風力を羽根よりシャフトに伝え、回転数を調節して換気ファンを駆動させ室内等の換気を行うと同時に、別のシャフトにて発電を行うことで余分なエネルギーを効果的に利用使用とするものである。
【０００８】
この特許文献１に開示された発明は、風力により換気ファンを駆動させるものであるため、風力を得られない場合には、換気ファンを駆動できず、また、発電を行うこともできない。
【０００９】
また、特許文献２に開示された発明は、換気扇により風洞の底板に設けた吸入口から吸い込んだ空気により回転体を回転させて発電機により発電させようとするものであり、換気扇には換気機能を期待するものではない。このため、工場等の大型空間の換気扇としての利用には適していない。
【００１０】
この発明は、工場等の換気を確実に行いながら発電を行って、工場等の省エネルギー化を図ることができる換気扇用風力発電装置と風力発電システムを提供することを目的としている。
【課題を解決するための手段】
【００１１】
前記目的を達成するための技術的手段として、この発明に係る換気扇用風力発電装置は、工場等の作業空間の壁面に設置された換気扇と、この換気扇の吐出側に臨ませてブレードが配されて、換気扇の風圧を受けた該ブレードの回転により発電する発電機とからなることを特徴としている。
【００１２】
また、発電機には風力発電安定器・充電器が接続され、この風力発電安定器・充電器には発電機によって発生した電力を蓄える二次電池が接続されて、該二次電池に充電することができる。
【００１３】
さらに、この発明に係る換気扇用風力発電装置システムは、工場等の作業空間の壁面に設置された複数台の換気扇と、それぞれの換気扇の吐出側に臨ませた風車のブレードと、前記換気扇の風圧を受けた該ブレードの回転により発電する発電機と、前記発電機に接続された風力発電安定器・充電器と、前記風力発電安定器・充電器に接続されて前記発電機によって発生した電力により充電する二次電池と、前記二次電池の出力電圧を前記換気扇の駆動電圧まで昇圧させる変圧器とからなり、複数台の換気扇のうちの第１の換気扇の風圧により発電されて前記変圧器により得られた電力により第２の換気扇を駆動し、該第２の換気扇の風圧により発電されて前記変圧器により得られた電力により第３の換気扇を駆動するようにして、前記複数台の換気扇の駆動電力を順次得るようにしたことを特徴としている。
【発明の効果】
【００１４】
この発明に係る換気扇用風力発電装置によれば、工場等の作業空間の換気を行う換気扇の風圧を利用して発電するものであるから、工場等の消費電力削減の補助となる電力を得ることができ、省エネルギーの促進を図ることができる。
また、二次電池に蓄えることにより、所望の用途に利用することができる電力とすることができる。
【００１５】
また、この発明に係る換気扇用風力発電システムによれば、換気扇用風力発電装置による発電電力で他の換気扇を駆動することができるので、工場等の省エネルギー化をより一層促進させることができる。
【図面の簡単な説明】
【００１６】
【図１】この発明に係る換気扇用風力発電システムを説明する概略の構成図である。
【図２】この発明に係る換気扇用風力発電装置を説明する概略の構成図である。
【発明を実施するための形態】
【００１７】
以下、図示した好ましい実施の形態に基づいて、この発明に係る換気扇用風力発電装置と風力発電システムを具体的に説明する。
【００１８】
図１にはこの発明に係る換気扇用風力発電システムを、図２には換気扇用風力発電装置を示してある。
【００１９】
まず、概略の構成を説明する概略図である図２を参照して、換気扇用風力発電装置を説明する。この換気扇用風力発電装置１０は、換気扇２と増速機や発電機等をケース内に備えているナセル１１を主体として構成されており、発電機で発電された電力を安定電源として調整する風力発電安定器・充電器１３、二次電池としてのバッテリー１４等を主たる構成としている。
【００２０】
工場等の作業空間１の壁体１ａには換気扇２が取り付けられて、作業空間１内から空気を吸引して外部に排出させる。なお、作業空間１の規模に応じた能力の換気扇２が取り付けられることになるが、多くの工場では５０インチ、２００Ｖと大型換気扇２が壁体１ａに適宜間隔を設けて複数台が設置される。
【００２１】
換気扇２の吐出側には風力発電装置１０を構成する図示しない回転軸や増速機、発電機等を備えたナセル１１が配されており、換気扇２に対向させて配された風車のブレード１２が換気扇２から排出された換気用空気の風圧を受けて回転するようにしてある。このブレード１２の回転によってナセル１１が備えた発電機により発電される。なお、風車には、水平軸式または垂直軸式のいずれでも利用することができる。また、ブレード１２の形式についても、種々の形式のものを用いることができる。なお、ナセル１１にはブレーキ装置が備えられており、風圧によってブレード１２が定格の回転数以上に上昇した場合等には停止されるようになされている。
【００２２】
ナセル１１の発電機の出力は風力発電安定器・充電器１３に提供される。この風力発電安定器・充電器１３からの出力が二次電池としてのバッテリー１４に供給されて充電される。風力発電安定器・充電器１３にはブレーキスイッチ１３ａが設けられており、非常時等に動作を停止する。また、バッテリー１４には、自動車用のバッテリーとして普及している電圧が１２Ｖの２台のバッテリー１４を直列に接続してある。そして、このバッテリー１４の出力端子１４ａ、１４ｂから電力を得ることができ、得られた電力は工場内の各種設備の駆動等の電力に利用することができる。
【００２３】
図１には、この発明に係る換気扇用風力発電システムの概略の構成を示してある。風力発電装置１０で発生した電力により充電されたバッテリー１４の出力側に変圧器１５が接続されている。この変圧器１５では、バッテリー１４の出力電圧（２４Ｖ）を換気扇２の駆動電圧（２００Ｖ）まで昇圧する。
【００２４】
変圧器１５の出力電圧を、複数台（ｎ台）の換気扇２ａ、…、２ｉ、２n-1、２ｎが設置されている場合に、第１の換気扇２について設けられた風力発電装置１０の出力を、第２の換気扇２ａの駆動電力として利用する。さらに、この第２の換気扇２ａについて設けられた風力発電装置１０の出力を第ｎの換気扇２ｎの駆動に利用する。このように、複数台の換気扇２のひとつの第ｉの換気扇２ｉの駆動電力を隣接する第（ｉ−１）の換気扇２i-1により発電された電力を利用する。なお、複数台の換気扇２のうちの第１の換気扇２は商用電源に連係させて駆動電力を得るようにしてあるが、他の換気扇２についても、発電に十分な風力を得られない場合には商用電源から駆動電力の供給を受けるようにしてあることが好ましい。
【００２５】
このため、この風力発電システムによれば、前記第１の換気扇２の駆動源として商用電源３を利用し、その他の換気扇２ｉは異なる換気扇２i-1により発生した電力により駆動することになり、換気扇から排気されている風圧を利用して、省エネルギー化を促進する。
【産業上の利用可能性】
【００２６】
この発明に係る換気扇用風力発電装置と風力発電システムによれば、工場等に設置されている換気扇により排出される空気の風圧により風力発電装置のブレードを回転させるので、従来排気されていた風力エネルギーの有効利用を図って、工場の省エネルギー化の促進に寄与する。
【符号の説明】
【００２７】
１  作業空間
１ａ  壁体
２  換気扇
２ａ  換気扇
２ｎ  換気扇
１０  風力発電装置
１１  ナセル
１２  ブレード
１３  風力発電安定器・充電器
１３ａ  ブレーキスイッチ
１４、１４  バッテリー（二次電池）
１５  変圧器
【図１】
2019183750.tif 000003
【図２】
2019183750.tif 000004
【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
工場等の作業空間の壁面に設置された複数台の換気扇と、
それぞれの換気扇の吐出側に臨ませた風車のブレードと、
前記換気扇の風圧を受けた前記ブレードの回転により発電する発電機と、
前記発電機に接続された風力発電安定器・充電器と、
前記風力発電安定器・充電器に接続されて前記発電機によって発生した電力により充電する二次電池と、
前記二次電池の出力電圧を前記換気扇の駆動電圧まで昇圧させる変圧器とからなり、
複数台の換気扇のうちの第１の換気扇の風圧により発電されて前記変圧器により得られた電力により第２の換気扇を駆動し、該第２の換気扇の風圧により発電されて前記変圧器により得られた電力により第３の換気扇を駆動するようにして、前記複数台の換気扇の駆動電力を順次得るようにしたことを特徴とする換気扇用風力発電システム。
【請求項２】
前記複数台の換気扇のそれぞれに商用電源から電力を供給可能としてあることを特徴とする請求項１に記載の換気扇用風力発電システム。
【手続補正３】
【補正対象書類名】明細書
【補正対象項目名】０００１
【補正方法】変更
【補正の内容】
【０００１】
この発明は、工場等で利用される大型換気扇を利用する換気扇用風力発電システムに関する。
【手続補正４】
【補正対象書類名】明細書
【補正対象項目名】００１０
【補正方法】変更
【補正の内容】
【００１０】
この発明は、工場等の換気を確実に行いながら発電を行って、工場等の省エネルギー化を図ることができる換気扇用風力発電システムを提供することを目的としている。
【手続補正５】
【補正対象書類名】明細書
【補正対象項目名】００１１
【補正方法】変更
【補正の内容】
【００１１】
前記目的を達成するための技術的手段として、この発明に係る換気扇用風力発電装置システムは、工場等の作業空間の壁面に設置された複数台の換気扇と、それぞれの換気扇の吐出側に臨ませた風車のブレードと、前記換気扇の風圧を受けた前記ブレードの回転により発電する発電機と、前記発電機に接続された風力発電安定器・充電器と、前記風力発電安定器・充電器に接続されて前記発電機によって発生した電力により充電する二次電池と、前記二次電池の出力電圧を前記換気扇の駆動電圧まで昇圧させる変圧器とからなり、複数台の換気扇のうちの第１の換気扇の風圧により発電されて前記変圧器により得られた電力により第２の換気扇を駆動し、該第２の換気扇の風圧により発電されて前記変圧器により得られた電力により第３の換気扇を駆動するようにして、前記複数台の換気扇の駆動電力を順次得るようにしたことを特徴としている。
【手続補正６】
【補正対象書類名】明細書
【補正対象項目名】００１２
【補正方法】変更
【補正の内容】
【００１２】
また、前記複数台の換気扇のそれぞれに商用電源から電力を供給可能としてあることが好ましい。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
この発明に係る換気扇用風力発電システムによれば、工場等の作業空間の換気を行う換気扇の風圧を利用して発電する換気扇用風力発電装置による発電電力で他の換気扇を駆動することができるので、工場等の消費電力削減の補助となる電力を得ることができ、省エネルギーの促進を図ることができる。
【手続補正９】
【補正対象書類名】明細書
【補正対象項目名】００１５
【補正方法】変更
【補正の内容】
【００１５】
また、前記複数台の換気扇のそれぞれに対応した発電機による発電電力が他の換気扇を駆動するのに不足する場合には、商用電源から電力を供給することにより、換気扇を確実に作動させて、工場等の作業環境を良好に保つことができる。
【手続補正１０】
【補正対象書類名】明細書
【補正対象項目名】００１６
【補正方法】変更
【補正の内容】
【００１６】
【図１】この発明に係る換気扇用風力発電システムを説明する概略の構成図である。
【図２】この発明に係る換気扇用風力発電システムに利用する風力発電装置を説明する概略の構成図である。
【手続補正１１】
【補正対象書類名】明細書
【補正対象項目名】００１７
【補正方法】変更
【補正の内容】
【００１７】
以下、図示した好ましい実施の形態に基づいて、この発明に係る換気扇用風力発電システムを具体的に説明する。
【手続補正１２】
【補正対象書類名】明細書
【補正対象項目名】００１８
【補正方法】変更
【補正の内容】
【００１８】
図１にはこの発明に係る換気扇用風力発電システムを、図２にはこの風力発電システムに用いられる換気扇用風力発電装置を示してある。
【手続補正１３】
【補正対象書類名】明細書
【補正対象項目名】００２６
【補正方法】変更
【補正の内容】
【００２６】
この発明に係る換気扇用風力発電システムによれば、工場等に設置されている換気扇により排出される空気の風圧により風力発電装置のブレードを回転させるので、従来排気されていた風力エネルギーの有効利用を図って、工場の省エネルギー化の促進に寄与する。